(57)【要約】【課題】原稿の色が単色の場合、必要とするメモリ量を軽減することにより、メモリへのアクセス時間を軽減する画像処理装置を提供する。【解決手段】画像データをバンド分割し、画像メモリに色成分ごとに記憶した分割部分それぞれに対して画像を見やすくするための各種の画像調整処理を行い、処理結果を単一の画像に形成する画像処理装置において、前記画像データを前記画像メモリへ記憶するときに、該画像データの色情報を判定し、判定した色情報と該画像データとを関連付けて色情報管理メモリに記憶する原稿色判断手段を備え、前記画像メモリに記憶された画像データのバンド分割された各分割部分を前記画像調整処理で処理するときに、前記色情報管理メモリを参照して、該画像データに関連付けられた色情報が単色である場合、単色用に指定した所定の色成分の画像メモリだけにアクセスを行う。【選択図】図２
2010278823.tif 000002
【特許請求の範囲】
【請求項１】
画像データをバンド分割し、画像メモリに色成分ごとに記憶した分割部分それぞれに対して画像を見やすくするための各種の画像調整処理を行い、処理結果を単一の画像に形成する画像処理装置において、
前記画像データを前記画像メモリへ記憶するときに、該画像データの色情報を判定し、判定した色情報と該画像データとを関連付けて色情報管理メモリに記憶する原稿色判断手段を備え、
前記画像メモリに記憶された画像データのバンド分割された各分割部分を前記画像調整処理で処理するときに、前記色情報管理メモリを参照して、該画像データに関連付けられた色情報が単色である場合、単色用に指定した所定の色成分の画像メモリだけにアクセスを行うようにした
ことを特徴とする画像処理装置。
【請求項２】
前記バンド分割された分割部分を前記画像調整処理で処理するときに、次に処理される分割部分に接する該分割部分の分割境界部分の画像データを退避メモリに記憶することを特徴とする請求項１に記載の画像処理装置。
【請求項３】
前記バンド分割された分割部分を前記画像調整処理で処理するときに、前記退避メモリに記憶された分割境界部分の画像データと該分割部分の画像データとを接合してから画像調整処理を行うことを特徴とする請求項２に記載の画像処理装置。
【発明の詳細な説明】
【技術分野】
【０００１】
本発明は、画像形成装置等における画像調整を目的とした画像形成装置に関し、特に、画像データをバンド分割し、分割部分それぞれに対して各種の画像調整処理を行い、処理結果を単一の画像に形成する画像処理装置で用いられる画像メモリのアクセス制御に関する。
【背景技術】
【０００２】
コピー機能を実行する画像形成装置においては、スキャナで原稿をページ毎に読み取り、この読み取ったページ毎の画像データに各種の画像調整処理を行ってから印刷を行っている。
しかし、連続的にスキャナで原稿を読み取るときに、１ページの原稿を読み取って次のページの原稿を読み取るまでの間に何の処理も行われない隙間時間ができる。
従来の画像形成装置には、この隙間時間を利用して、既に読み取られている画像データについて画像調整処理するものがあるが、１ページ分の画像調整処理をする時間の余裕はないので、画像データをバンド分割して処理を行っている。
【０００３】
しかしながら、バンド分割を行ってそれぞれの分割部分に画像調整処理を行うと、分割境界付近で画像の連続性が損なわれてしまうため、分割境界以降の分割部分に画像調整処理を行うときには、分割境界より前のラインの画像データを加えて画像調整処理する必要がある。
【０００４】
例えば、図４（Ａ）は、各ページの画像がＣＭＹＫの４色からなる合計３ページについて、１ページ目と２ページ目の画像調整処理の間に３ページ目の上半分の画像調整処理を行い、２ページ目の終了後に３ページ目の下半分の画像調整処理を行う例である。
【０００５】
このように２分割された画像の場合、３ページ目の画像データの下半分の最上段のラインの画像調整処理には、３ページ目の上半分の下端の数ライン分の画像データが必要になる。そのため、３ページ目の上半分の下端の数ライン分の画像データをメモリの別アドレスに退避し（図４（Ｂ））、３ページ目の下半部の画像調整処理が始まる前にメモリから読み出して、３ページ目の下半分の画像データと接合して画像調整処理を行う。
【０００６】
画像調整処理が４ライン×４画素の領域で画像平均を取るフィルタ処理の場合は、３ページ目の下半部の最初のラインを処理するときには、境界部分の画像データとして上半分の下端の３ライン分の画像データを記憶しておき（図４（Ｃ））、３ページ目の下半部の画像調整処理のとき、この３ライン分の画像データと下半分の画像データの先頭１ライン分の画像データを接合して４ラインとし、画像調整処理を行う。
これにより、上半分と下半分に分割された画像の連続性を保つことができる。
【０００７】
上記のようにバンド分割を行って画像調整処理を行うためには、色成分ごとに上記のような境界部分の画像データを記憶するため、大量のメモリ容量を必要とする。
これに対して、特許文献１の印刷装置は、それぞれのバンド分割画像について、印刷時に使用する色毎の画像を描画し、印刷する際に最初に使用される第１の色以外の第２の色について描画した画像を、描画直後に圧縮する。続いて、第１の色について描画した画像に基づいて印刷した後、第２の色について描画した画像に基づいて印刷する場合には、その直前でこの色の画像を復号してから印刷する。
これにより、カラー印刷を行うために必要とするメモリ量を軽減している。
【先行技術文献】
【特許文献】
【０００８】
【特許文献１】特開２００６−２４８１８４号公報
【発明の概要】
【発明が解決しようとする課題】
【０００９】
しかしながら、従来技術においては、単色の画像データの場合でも多色（カラー）の画像データの場合と同様のアルゴリズムによって処理しているため、同じ容量の画像メモリを必要とし、画像メモリへのアクセス時間も多色の場合と同じに時間がかかるという問題があった。
【００１０】
本発明は、上述のような実情を考慮してなされたものであって、原稿の色が単色の場合、必要とするメモリ量を軽減することにより、メモリへのアクセス時間を軽減する画像処理装置を提供することを目的とする。
【課題を解決するための手段】
【００１１】
上記の課題を解決するために、本発明の画像処理装置は、画像データをバンド分割し、画像メモリに色成分ごとに記憶した分割部分それぞれに対して画像を見やすくするための各種の画像調整処理を行い、処理結果を単一の画像に形成する画像処理装置において、前記画像データを前記画像メモリへ記憶するときに、該画像データの色情報を判定し、判定した色情報と該画像データとを関連付けて色情報管理メモリに記憶する原稿色判断手段を備え、前記画像メモリに記憶された画像データのバンド分割された各分割部分を前記画像調整処理で処理するときに、前記色情報管理メモリを参照して、該画像データに関連付けられた色情報が単色である場合、単色用に指定した所定の色成分の画像メモリだけにアクセスを行う。
【００１２】
上記の画像処理装置において、前記バンド分割された分割部分を前記画像調整処理で処理するときに、次に処理される分割部分に接する該分割部分の分割境界部分の画像データを退避メモリに記憶し、次の分割部分を前記画像調整処理で処理するときには、前記退避メモリに記憶された分割境界部分の画像データと該分割部分の画像データとを接合してから画像調整処理を行うようにする。
【発明の効果】
【００１３】
本発明によれば、原稿の色情報が判断され、単色画像の場合は、多色画像用に使用していたメモリ空間を開放し、単色だけのメモリアクセスとするため、メモリアクセス時間が短縮される。
【００１４】
例えば、カラー画像の場合は３または４色が必要であるが、白黒画像の場合はメモリアクセスが１色だけですみ、メモリアクセス時間が短縮できる。また、白黒画像の場合はメモリも一色分しか使用しないのでカラー用に使用していたメモリ空間を開放できる。
【図面の簡単な説明】
【００１５】
【図１】本発明の画像処理装置を適用した画像形成装置の構成を示すブロック図である。
【図２】本発明の画像処理装置の詳細な構成図である。
【図３Ａ】本発明の画像処理装置を適用した画像形成装置の処理手順を説明するフローチャートである。
【図３Ｂ】本発明の画像処理装置を適用した画像形成装置の処理手順を説明するフローチャートである。
【図４】バンド分割した画像データに対して画像調整処理するときの説明図である。
【発明を実施するための形態】
【００１６】
以下、図面を参照して、本発明に係る画像処理装置の実施形態について説明する。
【００１７】
図１は、本発明の画像処理装置を適用した画像形成装置の構成を示すブロック図であり、図１において、画像形成装置は、本発明の画像処理装置１０にコントロールパネル２０、画像取り込み装置３０、印字装置４０、制御装置５０を接続して構成されている。
【００１８】
画像処理装置１０は、画像取り込み装置３０から受信した画像データを記憶し、記憶した画像データを読み出して画像調整を行って記憶したり、また、画像調整した画像データを印字装置４０から印刷する。ここで画像データは、必ずしも１ページ分の画像である必要はなく、画像データをバンド分割（例えば、ページの上半分と下半分に分割する。）して、分割されたバンドの画像データを読み出して、画像調整することが可能である。この画像データの取り出しタイミングや取り出すデータ量の制御は、制御装置５０からの制御信号によって行われる。
【００１９】
コントロールパネル２０は、表示部とタッチセンサ等の操作受付部を有するタッチパネルと、キー操作部を備えている。この表示部は、制御装置５０からの指示に応じて、現在の動作状態や設定情報などが表示される。また、操作受付部やキー操作部から受け付けられた指示は、操作指令として制御装置５０へ転送される。
本実施形態では、コピー画像を取り込むときには、コントロールパネル２０の操作受付部やキー操作部から、例えば、カラー原稿かモノクロ原稿かという原稿色情報の指示を受け付ける。
【００２０】
画像取り込み装置３０は、スキャナから読み込まれる原稿画像、ネットワークを介してＰＣ（パーソナルコンピュータ）から送られてくる印刷画像、または、ファクシミリ装置で受信した画像等を取り込むものであり、取り込んだ１ページ分の画像データをデータバッファ（図示しない）に記憶する。
【００２１】
印字装置４０は、電子写真方式やインクジェット方式などの印刷方式を採用したプリンタ装置であり、画像処理装置１０で処理された画像データを記録用紙に印刷する。
【００２２】
制御装置５０は、ＣＰＵ（Central Processing Unit）、ＲＯＭ（Read Only Memory）やＥＥＰＲＯＭ（Electrically Erasable and Programmable ROM）等の不揮発性メモリ、ＲＡＭ（Random Access Memory）等の揮発性メモリなどで構成される。不揮発性メモリには、ＣＰＵから読み出し可能なように、制御プログラムと各種設定データとが格納されている。この制御プログラムは、画像形成装置全体を制御するための命令群からなり、例えば、原稿画像の読み取りに係る命令、印刷に係る命令、ファクシミリ画像の生成・送信・受信等に係る命令などからなっている。また、揮発性メモリは、制御プログラムの実行時に作業用の領域として使われる。
【００２３】
また、上記の画像処理装置１０、画像取り込み装置３０および印字装置４０は、それぞれ独立に実行可能な装置であり、制御装置５０の制御プログラムがこれらの装置と同期を取ることによって、これらの装置が並列に実行される。
【００２４】
図２は、本発明の画像処理装置１０の詳細な構成図であり、同図において、画像処理装置１０は、原稿色判断装置１１、色情報管理メモリ１２、バンド制御装置１３、画像メモリ１４、画像調整装置１５からなっている。
【００２５】
原稿色判断装置１１は、制御装置５０からの原稿の画像データの書き込み指示または読み取り指示により動作する。これらの指示には、原稿の画像データを格納する、または、原稿の画像データが格納されている画像メモリ１４の先頭アドレスが付属している。
書き込み指示の場合、データバッファに記憶されている１ページ分の画像データの色を公知の方法で判断し、多色（カラー）か単色（モノクロ）かの区分に変換すると共に、１ページ分の画像データをバンド制御装置１３に出力する。
この色の区分は、書き込み指示に付属している先頭アドレスに対応させて色情報管理メモリ１２に記憶されると共に、この色区分を表わす信号が永続的にバンド制御装置１３に出力される。
【００２６】
原稿の色判定は、例えば、画像データを構成するすべての画素において、画素の各色成分がほぼ等しい値のときには単色（モノクロ）とし、それ以外の場合は多色（カラー）と区分する。１画素がＲＧＢ成分からなり、Ｒ値≒Ｇ値≒Ｂ値の場合、モノクロ画素と判断し、１ページのほぼ全ての画素がモノクロ画素であったときに、モノクロのページであると判断する。
また、コピー機能で連続的に読み取ったり、ＰＣから印刷ジョブとして受け取ったり、あるいは、ファクシミリ装置で受信した場合のような場合には、ページごとに判断するのではなく、原稿全体で色判定をするようにしてもよい。
【００２７】
また、読み取り指示の場合、読み取り指示に付属している画像メモリ１４の先頭アドレスに対応する原稿の色区分を色情報管理メモリ１２から取り出して、この色区分を表わす信号が永続的にバンド制御装置１３に出力される。
【００２８】
画像調整装置１５は、各種の画像調整処理を行う装置である。ここで、画像調整処理とは、画像データを人間の目にあわせて見やすくするための処理、例えば、ノイズ除去、濃淡調整、エッジ強調などや、カラーデータやモノクロデータのγ調整や、ＲＧＢデータを印刷用のＹＭＣＫデータに変換する処理がある。
【００２９】
画像メモリ１４は、取り込んだ画像データや、画像調整された画像データがそれぞれ色成分数だけ確保される。例えば、色成分をＲＧＢとしたカラーデータの場合には、ＲＧＢの３色分の画像データが記憶され、単色（モノクロ）の場合には、１色（例えば、Ｒ成分）分の画像データが記憶される。また、印刷用のＹＭＣＫデータの場合には４色分の画像データが記憶される。
また、バンド分割したときの境界領域の画像データを記憶するために用いてもよい。
【００３０】
バンド制御装置１３は、図２に示すように、画像データの入力先を選択するセレクタ１３１、画像メモリ１４のアクセスを制御するアクセス制御回路１３２、アンド回路（and）１３３、画像メモリ１４への制御信号に許可を与える複数のイネーブル回路（en）１３４からなっている。
【００３１】
セレクタ１３１には、画像取り込み装置３０で取り込んだ１ページ分の画像データ（コピー画像、プリンタ画像、ファクシミリ画像）や、画像調整装置１５から出力される画像調整後の画像データや、画像メモリ１４から出力される画像データ（バンド境界部分の画像データ）が入力として接続されており、制御装置５０からの制御信号に従って入力された画像データのうちひとつを選択して出力する。
【００３２】
アクセス制御回路１３２は、制御装置５０からの書き込み指示や読み取り指示の制御信号に応じて、アドレス信号、チップセレクト信号、ライト信号、イネーブル信号などを出力して、画像メモリ１４の画像データの書き込みや読み取りのアクセスを制御する。ここで、アクセス制御回路１３２から出力される制御信号は、イネーブル回路１３４でフィルタリングされる。
【００３３】
アンド回路１３３は、原稿色判断装置１１から出力されている原稿の色区分信号と制御装置５０からのバンド処理ステータス信号との論理積をとって、色区分信号が「単色（モノクロ）」を表わす信号であり、且つ、バンド処理ステータス信号が「バンド処理中」を表わす信号であれば、「真値」を出力し、その他の場合には「偽値」を出力する。
【００３４】
イネーブル回路１３４は、アンド回路１３３からの出力が「真値」である場合は、第１の色成分以外の色成分については、アクセス制御回路１３２から出力される制御信号をマスクする。例えば、画像データがＲＧＢの３つの色成分からなり、単色（モノクロ）画像の場合は色成分Ｒのデータパスを通るものと仮定すると、色成分Ｒの画像メモリへの制御信号のみを許可し、他の色成分ＢおよびＧの画像メモリへの制御信号をマスクする。（ここで、画像データの色成分は、必ずしもＲＧＢである必要はなくＹＭＣＫでもよい。）
【００３５】
バンド制御装置１３では、上述の画像メモリ１４への画像データの読み書きは次のように行われる。
【００３６】
（１）画像取り込み装置３０から取り込んだ１ページ分の画像データを画像メモリ１４に書き込む場合：
制御装置５０からは、１ページ分の画像データを格納する画像メモリ１４上の先頭アドレスを付属した書き込み指示を原稿色判断装置１１に出力する。
原稿色判断装置１１は、上述のデータバッファから１ページ分の画像データを取り出して、原稿の色の区分に変換して、この色区分を上記の先頭アドレスと対応付けて色情報管理メモリ１２に記憶させると共に、１ページ分の画像データをセレクタ１３１に転送し、色区分を表わす信号を永続的にアンド回路１３３に出力する。
【００３７】
次いで、制御装置５０からは、「原稿色判断装置１１からの画像データの入力を受け付ける」という制御信号をセレクタ１３１に出力し、バンド処理ステータス信号をアンド回路１３３に出力し、画像メモリ１４へ格納するデータの先頭アドレス信号および書き込み信号をアクセス制御回路１３２に出力する。ここで、バンド処理ステータス信号は、「バンド処理以外」を表わす信号である。
【００３８】
アンド回路１３３からの出力が「真値」の場合、イネーブル回路１３４がＯＮとなり、セレクタ１３１から出力される色成分別の画像データがアクセス制御回路１３２から出力される色成分別の先頭アドレスから後に書き込まれる。また、アンド回路１３３からの出力が「偽値」の場合、イネーブル回路１３４がＯＦＦとなり、セレクタ１３１から出力される色成分別の画像データは画像メモリ１４に書き込まれない。
これにより、原稿画像が単色（モノクロ）の場合には、１色だけの画像データが画像メモリに書き込まれる。
【００３９】
（２）画像メモリ１４から画像データを読み出して、画像調整装置１５に転送する場合：
制御装置５０からは、画像メモリ１４から読み出す画像データの先頭アドレスを付属した読み取り指示を原稿色判断装置１１に出力する。
原稿色判断装置１１からは、上記の先頭アドレスに対応した原稿の色区分を色情報管理メモリ１２から取り出して、この色区分を表わす信号がアンド回路１３３に永続的に出力される。
【００４０】
次いで、制御装置５０からは、バンド処理ステータス信号をアンド回路１３３に出力し、画像メモリ１４から取り出す画像データの先頭アドレス信号および読み取り信号をアクセス制御回路１３２に出力する。ここで、上記のバンド処理ステータス信号は、「バンド処理以外」または「バンド処理中」を表わす信号であり、上記の先頭アドレスは、「バンド処理以外」のときには１ページ分の画像データの先頭アドレスであり、「バンド処理中」のときには処理対象となるバンドの先頭アドレスである。
【００４１】
アンド回路１３３からの出力が「真値」の場合、イネーブル回路１３４がＯＮとなり、アクセス制御回路１３２から出力される色成分別の先頭アドレスから以降の画像データが読み取られて画像調整装置１５に転送される。また、アンド回路１３３からの出力が「偽値」の場合、イネーブル回路１３４がＯＦＦとなり、画像メモリ１４からの画像データの読み取りは行われない。
したがって、バンド数を２とし、上記先頭アドレスを上半分のバンドの先頭アドレスとしたときには、上半分の画像データが画像調整装置１５に転送される。また、上記先頭アドレスが下半分のバンドの先頭アドレスとしたときには、下半分の画像データが画像調整装置１５に転送される。
【００４２】
また、制御装置５０から「バンド処理中」を表わすバンド処理ステータス信号を出力し、読み出す画像データが上半分の先頭アドレスのときには、境界領域の画像データをデータ退避領域に書き込む。このデータ退避領域は、画像メモリ１４に設けてもよいし、また、画像メモリとは別途設けたメモリであっても構わない。
【００４３】
また、制御装置５０から「バンド処理中」を表わすバンド処理ステータス信号を出力し、読み出す画像データが下半分の先頭アドレスのときには、データ退避された境界領域の画像データを読み出し、下半分の画像データと接合して画像調整装置１５に転送する。
【００４４】
（３）画像調整装置１５からの調整済みの画像データを画像メモリ１４に書き込む場合：
制御装置５０からは、「画像調整装置１５からの画像データの入力を受け付ける」という制御信号をセレクタ１３１に出力し、バンド処理ステータス信号をアンド回路１３３に出力し、画像メモリ１４へ格納する画像データの先頭アドレス信号および書き込み信号をアクセス制御回路１３２に出力する。ここで、バンド処理ステータス信号は、「バンド処理以外」または「バンド処理中」を表わす信号である。
【００４５】
原稿色判断装置１１から永続的に出力されている色区分信号と制御装置５０からのバンド処理ステータス信号により、アンド回路１３３からの出力が「真値」の場合、イネーブル回路１３４がＯＮとなり、セレクタ１３１から出力される色成分別の調整済みの画像データがアクセス制御回路１３２から出力される色成分別の先頭アドレスから後に書き込まれる。また、アンド回路１３３からの出力が「偽値」の場合、イネーブル回路１３４がＯＦＦとなり、画像メモリ１４への書き込みは行われない。
【００４６】
次に、本発明の画像処理装置を適用した画像形成装置の処理手順を説明する。
ここで、説明を簡略にするため、コピー機能により１，２枚目の原稿を印刷し、予め記憶されているファクシミリ画像をバンド分割して３枚目として印刷する例を用いる。
【００４７】
図３Ａ、図３Ｂは、上記の例を用いて、本発明の画像処理装置を適用した画像形成装置の処理手順を説明するフローチャートである。
ファクシミリ機能によりファクシミリ画像を受信し（ステップＳ１）、原稿色判断装置１１にて、受信したファクシミリ画像の色区分を判定し、ファクシミリ画像を記憶する画像メモリの先頭アドレスと対応付けて色区分を色情報管理メモリ１２に書き込む（ステップＳ２）。
続いて、バンド制御装置１３により、このファクシミリ画像を指定された先頭アドレスから画像メモリ１４に書き込む（ステップＳ３）。
【００４８】
次に、スキャナを用いて１枚目の原稿（コピー画像）を読み取って（ステップＳ４）、画像調整装置１５で画像調整を行って（ステップＳ５）、印字装置４０で画像調整されたコピー画像を印刷する（ステップＳ６）。
【００４９】
次に、制御装置５０は、画像メモリ１４から読み出すファクシミリ画像の先頭アドレスを付属した読み取り指示を原稿色判断装置１１に出力し、原稿色判断装置１１から、上記の先頭アドレスに対応した原稿の色区分を色情報管理メモリ１２から取り出して、この色区分を表わす信号をバンド制御装置１３に永続的に出力し、この色区分が多色（カラー）の場合には（ステップＳ７でＹＥＳ）、ファクシミリ画像の上半分の境界領域の色成分ごとの画像データをデータ退避領域に書き込む（ステップＳ８）。
また、色区分が単色（モノクロ）の場合には（ステップＳ７でＮＯ）、境界領域の１色分の画像データをデータ退避領域に書き込む（ステップＳ９）。
【００５０】
次に、制御装置５０は、画像メモリ１４から取り出すファクシミリ画像の上半分の先頭アドレスと読み取り信号をバンド制御装置１３に出力して、ファクシミリ画像の上半分を取り出して画像調整装置１５に転送し、画像調整処理を行わせ（ステップＳ１０）、画像調整処理された上半分のファクシミリ画像を画像メモリ１４に書き込む（ステップＳ１１）。
【００５１】
次に、制御装置５０は、スキャナを用いて２枚目の原稿（コピー画像）を読み取って（ステップＳ１２）、画像調整装置１５でコピー画像の画像調整を行い（ステップＳ１３）、印字装置４０で画像調整されたコピー画像を印刷する（ステップＳ１４）。
【００５２】
次に、制御装置５０は、画像メモリ１４から読み出すファクシミリ画像の先頭アドレスを付属した読み取り指示を原稿色判断装置１１に出力し、上記の先頭アドレスに対応した原稿の色区分を色情報管理メモリ１２から取り出して、バンド制御装置１３に色区分を表わす信号を永続的に出力し、この色区分が多色（カラー）の場合には（ステップＳ１５でＹＥＳ）、データ退避されたファクシミリ画像の上半分の境界領域の色成分ごとの画像データを読み出す（ステップＳ１６）。
また、色区分が単色（モノクロ）の場合には（ステップＳ１５でＮＯ）、データ退避されたファクシミリ画像の上半分の境界領域の１色分の画像データを読み出す（ステップＳ１７）。
【００５３】
制御装置５０は、この読み出した境界領域の画像データと、画像メモリ１４から読み出した下半分の画像データとを接合し、画像調整装置１５にて下半分のファクシミリ画像に画像調整処理を行わせ（ステップＳ１８）、画像調整処理された下半分のファクシミリ画像を画像メモリ１４に書き込む（ステップＳ１９）。
【００５４】
最後に、制御装置５０は、画像メモリ１４に書き込んだ上半分と下半分の画像調整処理されたファクシミリ画像を読み出して（ステップＳ２０）、印字装置４０で印刷する（ステップＳ２１）。
【００５５】
以上のように実施形態を構成することによって、原稿の色情報が判断され、単色画像の場合は、多色画像用に使用していたメモリ空間を開放し、単色だけのメモリアクセスとするため、メモリアクセス時間が短縮される。
【００５６】
また、本発明は上述した実施形態に限定されず、本発明の要旨を逸脱しない範囲内で各種の変形、修正が可能であるのは勿論である。
【符号の説明】
【００５７】
１０…画像処理装置、１１…原稿色判断装置、１２…色情報管理メモリ、１３…バンド制御装置、１３１…セレクタ、１３２…アクセス制御回路、１３３…アンド回路、１３３…イネーブル回路、１４…画像メモリ、１５…画像調整装置、２０…コントロールパネル、３０…画像取り込み装置、４０…印字装置、５０…制御装置。
【図１】
2010278823.tif 000003
【図２】
2010278823.tif 000004
【図３Ａ】
2010278823.tif 000005
【図３Ｂ】
2010278823.tif 000006
【図４】
2010278823.tif 000007